(57)【要約】【課題】本発明は、蓋体が変形しても、該変形が押圧部材に影響を与えないようにして、押圧部材が均一に原稿を押さえることができるようにしたスキャナを提供することを目的とする。【解決手段】本発明のスキャナは、原稿を載せて該原稿の画像を読み取るためのスキャナ本体と、該スキャナ本体に上下方向揺動自在に枢支された蓋体と、該蓋体に設けられて前記原稿を押さえるための押圧部材とを備えたスキャナにおいて、前記押圧部材は、前記蓋体に対して移動自在に取り付けられている。【選択図】図３
2008003212.tif 000002
【特許請求の範囲】
【請求項１】
原稿を載せて該原稿の画像を読み取るためのスキャナ本体と、該スキャナ本体に上下方向揺動自在に枢支された蓋体と、該蓋体に設けられて前記原稿を押さえるための押圧部材とを備えたスキャナにおいて、
前記押圧部材は、前記蓋体に対して移動自在に取り付けられ、
前記蓋体には、前記押圧部材を上下方向に所定移動量ガイドするガイド部が設けられ、
前記押圧部材には、前記ガイド部に上下方向移動自在にガイドされる被ガイド部が設けられ、
前記ガイド部は、前記蓋体の下面より下方に突設された蓋体突出部により形成され、該蓋体突出部の下端部に、前記被ガイド部を係脱自在に係止する係止部が設けられている、スキャナ。
【請求項２】
原稿を載せて該原稿の画像を読み取るためのスキャナ本体と、該スキャナ本体に上下方向揺動自在に枢支された蓋体と、該蓋体に設けられて前記原稿を押さえるための押圧部材とを備えたスキャナにおいて、
前記押圧部材は、前記蓋体に対して移動自在に取り付けられている、スキャナ。
【請求項３】
前記蓋体には、前記押圧部材を上下方向に所定量ガイドするガイド部が設けられ、
前記押圧部材には、前記ガイド部に上下方向移動自在にガイドされる被ガイド部が設けられている、請求項２記載のスキャナ。
【請求項４】
前記ガイド部は、前記蓋体の下面より下方に突設された蓋体突出部により構成され、該蓋体突出部の下端部に係止部が設けられ、
前記被ガイド部は、前記押圧部材の上面より上方に突設された押圧部材突出部により構成され、該押圧部材突出部の上端部に前記係止部に係脱自在に係止される被係止部が設けられている、請求項３記載のスキャナ。
【請求項５】
前記係止部は、前記蓋体突出部より横方向に突出した蓋体凸部により構成され、
前記被係止部は、前記押圧部材突出部より横方向に突出した押圧部材凸部により構成されている、請求項４記載のスキャナ。
【請求項６】
前記係止部は、前記蓋体突出部に形成された上下方向に長い凹部の下端により構成され、
前記被係止部は、前記凹部に挿入されるピンにより構成されている、請求項４記載のスキャナ。
【請求項７】
前記係止部は、前記蓋体突出部の下端に形成されたピンにより構成され、
前記被係止部は、前記押圧部材突出部に形成された前記ピンが挿入される上下方向に長い凹部の上端により構成されている、請求項４記載のスキャナ。
【請求項８】
前記係止部は、前記被係止部の外周を覆うものである、請求項５記載のスキャナ。
【請求項９】
前記被係止部は、前記係止部の外周を覆うものである、請求項５記載のスキャナ。
【発明の詳細な説明】
【技術分野】
【０００１】
本発明は、原稿等を読み取るためのスキャナに関する。
【背景技術】
【０００２】
この種のスキャナとして、たとえば、特許文献１〜３に記載のものが公知である。
これら特許文献に記載のスキャナは、原稿を載せて該原稿の画像を読み取るためのスキャナ本体と、前記スキャナ本体に設けられて前記原稿を押さえるための蓋体とを備えたものであった。
【０００３】
前記従来のものは、図１０に示す如く、透明ガラス板５０上に原稿を載せて該原稿の画像を読み取るためのスキャナ本体５１と、前記スキャナ本体５１に設けられて前記原稿を押さえるための蓋体５２とを備え、前記蓋体５２は、前記スキャナ本体５１に揺動自在に枢支されている。そして、前記蓋体５２には、前記原稿を押さえるための押圧部材５３が固定されていた。
【特許文献１】特開２００４−２８２５６１号公報
【特許文献２】特開２００５−９９８４０号公報
【特許文献３】特開２００６−１４０２３号公報
【発明の開示】
【発明が解決しようとする課題】
【０００４】
前記蓋体は合成樹脂製の成形品であるため、図１１に示す如く、蓋体５２が反り等により変形したとき、該蓋体５２に固定されている押圧部材５３も追従して変形し、原稿を均一に押圧できないという問題があった。
【０００５】
そこで、本発明は、蓋体が変形しても、該変形が押圧部材に影響を与えないようにして、押圧部材が均一に原稿を押さえることができるようにしたスキャナを提供することを目的とする。
【課題を解決するための手段】
【０００６】
前記目的を達成するため、本発明は、次の手段を講じた。即ち、本発明の特徴とするところは、原稿を載せて該原稿の画像を読み取るためのスキャナ本体と、該スキャナ本体に上下方向揺動自在に枢支された蓋体と、該蓋体に設けられて前記原稿を押さえるための押圧部材とを備えたスキャナにおいて、前記押圧部材は、前記蓋体に対して移動自在に取り付けられている点にある。
【０００７】
前記蓋体には、前記押圧部材を上下方向に所定量ガイドするガイド部が設けられ、前記押圧部材には、前記ガイド部に上下方向移動自在にガイドされる被ガイド部が設けられているのが好ましい。
【０００８】
前記ガイド部は、前記蓋体の下面より下方に突設された蓋体突出部により形成され、該蓋体突出部の下端部に、前記被ガイド部を係脱自在に係止する係止部が設けられているのが好ましい。
【０００９】
前記ガイド部は、前記蓋体の下面より下方に突設された蓋体突出部により構成され、該蓋体突出部の下端部に係止部が設けられ、前記被ガイド部は、前記押圧部材の上面より上方に突設された押圧部材突出部により構成され、該押圧部材突出部の上端部に前記係止部に係脱自在に係止される被係止部が設けられているのが好ましい。
【００１０】
前記係止部は、前記蓋体突出部より横方向に突出した蓋体凸部により構成され、前記被係止部は、前記押圧部材突出部より横方向に突出した押圧部材凸部により構成されているのが好ましい。
【００１１】
前記係止部は、前記蓋体突出部に形成された上下方向に長い凹部の下端により構成され、前記被係止部は、前記凹部に挿入されるピンにより構成されることができる。
【００１２】
また、前記係止部は、前記蓋体突出部の下端に形成されたピンにより構成され、前記被係止部は、前記押圧部材突出部に形成された前記ピンが挿入される上下方向に長い凹部の上端により構成されることもできる。
【００１３】
前記係止部は、前記被係止部の外周を覆うようにすることができる。
また、前記被係止部は、前記係止部の外周を覆うものとすることができる。
【発明の効果】
【００１４】
本発明によれば、押圧部材が蓋体に移動自在に設けられているので、蓋体が反り等の変形をしても、その変形の影響は、固定されているものに比べて少なくなるので、押圧部材が原稿を均一に押すことができる。
【発明を実施するための最良の形態】
【００１５】
以下、本発明の実施の形態を図面に基づき説明する。
図１、２に示すものは、本発明のスキャナの全体図である。このスキャナは、原稿を載せて該原稿の画像を読み取るためのスキャナ本体１を有する。スキャナ本体１は、上方が開口した筐体２を有し、前記開口に透明体である矩形状のガラス板３がはめ込まれている。このガラス板３の上に原稿が載置される。筐体２の内部には、前記原稿の記載内容を読み取るための画像読取装置４（図３参照）が移動自在に内蔵されている。筐体２の上面側部には、操作パネル５が設けられている。
【００１６】
前記スキャナ本体１に蓋体６が上下方向揺動自在に枢支されている。すなわち、前記蓋体６の一側に蓋体ブラケット７が突設され、前記筐体の一側に筐体ブラケット８が突設され、これらブラケット７，８が互いに回動自在に枢結されている。そして、前記蓋体６が、前記ガラス板３を開閉自在に覆うように構成されている。
【００１７】
前記蓋体６には、前記原稿を押さえるための押圧部材９が設けられている。この押圧部材９は、前記蓋体６の裏面に設けられ、前記ガラス板３と略同じ矩形状に形成され、ガラス板３上の原稿の上面を押圧するものである。
【００１８】
図３に示す如く、前記押圧部材９は、前記蓋体６に対して移動自在に取り付けられている。前記蓋体６には、前記押圧部材９を上下方向に所定量ガイドするガイド部１０が設けられている。この押圧部材９には、前記ガイド部１０に上下方向移動自在にガイドされる被ガイド部１１が設けられている。
【００１９】
前記ガイド部１０は、前記蓋体６の下面より下方に突設された蓋体突出部１２により構成されている。この蓋体突出部１２の下端部に係止部１３が設けられている。
【００２０】
前記被ガイド部１１は、前記押圧部材９の上面より上方に突設された押圧部材突出部１４により構成されている。この押圧部材突出部１４の上端部に前記係止部１３に係脱自在に係止される被係止部１５が設けられている。
【００２１】
前記係止部１３は、前記蓋体突出部１２より横方向に突出した蓋体凸部１６により構成されている。
【００２２】
前記被係止部１５は、前記押圧部材突出部１４より横方向に突出した押圧部材凸部１７により構成されている。
【００２３】
前記蓋体６は、プラスチック製の成形品であり、前記蓋体突出部１２及び蓋体凸部１６は、蓋体６と一体成形されている。
【００２４】
前記押圧部材９は、プラスチック成形品の押圧板１８と該押圧板１８の下面に貼り付けられたスポンジ部材１９とから構成されている。前記押圧部材突出部１４及び押圧部材凸部１７は、前記押圧板１８と一体成形されている。
【００２５】
前記押圧部材突出部１４は、矩形状の押圧板１８の左右両側部または前後両側部に、互いに対向して上方に突設されている。この押圧部材突出部１４の上端部に内側に向かって、前記押圧部材凸部１７が突設されている。
【００２６】
前記蓋体突出部１２は、前記押圧部材突出部１４の内側において、該押圧部材突出部１４と摺接するように前記蓋体６下面に配置されている。蓋体突出部１２の下端に前記蓋体凸部１６が外方に向かって突設されている。そして、この蓋体凸部１６と前記押圧部材凸部１７とが係脱自在に係合することにより、前記押圧部材９が蓋体６に対して所定量上下方向移動自在であると共に、押圧部材９が蓋体６から離脱するのが防止されている。
【００２７】
然して、図４に示すように、蓋体６の上面が上方に膨出するように変形しても、その変形の影響は、ガイド部１０と被ガイド部１１によって吸収され、押圧部材９に影響を与えないので、押圧部材９は原稿の上面を均一に押さえることができる。
【００２８】
図５に示すものは、前記図３、４に示すガイド部１０と被ガイド部１１の配置関係を内外反対にしたものである。即ち、ガイド部１０を被ガイド部１１の外側に配置したものであり、その他の構成は、同じである。
【００２９】
図６に示すものは、本発明の他の実施の形態であり、前記係止部１３は、前記蓋体突出部１２に形成された上下方向に長い凹部２０の下端により構成されている。この凹部２０は、この実施の形態では上下方向に長い長穴とされている。そして、前記被係止部１５は、前記凹部２０に挿入されるピン２１により構成されている。
【００３０】
図７に示すものは、図６の変形例であり、前記係止部１３は、前記蓋体突出部１２の下端に形成されたピン２２により構成されている。そして、前記被係止部１５は、前記押圧部材突出部１４に形成された前記ピン２２が挿入される上下方向に長い凹部２３の上端により構成されている。
【００３１】
図８に示すものは、本発明の他の実施の形態であり、前記係止部１３は、前記被係止部１５の外周を覆うものとされている。
【００３２】
すなわち、蓋体６下面に形成された蓋体突出部１２は円柱状に形成され、該蓋体突出部１２の下面に第一孔２４が開口し、該第一孔２４の上方に該第一孔２４よりも大径の第二孔２５が設けられている。そして、押圧部材突出部１４は、前記第一孔２４に摺動自在に挿入される軸部２６と、該軸部２６の頭部に形成された前記第二孔２５に挿入されるフランジ部２７とを有するキノコ状に形成されている。
【００３３】
然して、前記第一孔２４が前記係止部１３を構成し、前記フランジ２７が前記被係止部１５を構成している。
【００３４】
なお、円柱状の蓋体突出部１２は、その周壁に下端に開口するスリットが周方向複数位置に設けられ、キノコ状の押圧部材突出部１４を下方から押し込むときに、拡径変形するようにされており、押圧部材突出部１４の挿入を可能としている。
【００３５】
図９に示すものは、前記被係止部１５が、前記係止部１３の外周を覆うものとされたものである。すなわち、前記図８のものと逆の構成とされている。
【００３６】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００３７】
【図１】本発明の実施の形態のスキャナの蓋体を開いた状態を示す斜視図である。
【図２】本発明の実施の形態のスキャナの蓋体を閉じた状態を示す斜視図である。
【図３】本発明の実施の形態を示すスキャナの断面図である。
【図４】図３の蓋体が変形した状態の断面図である。
【図５】本発明の他の実施の形態を示す要部の断面図である。
【図６】本発明の他の実施の形態を示す要部の断面図である。
【図７】本発明の他の実施の形態を示す要部の断面図である。
【図８】本発明の他の実施の形態を示す要部の断面図である。
【図９】本発明の他の実施の形態を示す要部の断面図である。
【図１０】従来例のスキャナの断面図である。
【図１１】図１０の蓋体が変形した状態の断面図である。
【符号の説明】
【００３８】
１  スキャナ本体、６  蓋体、９  押圧部材、１０  ガイド部、１１  被ガイド部、１２  蓋体突出部、１３  係止部、１４  押圧部材突出部、１５  被係止部、１６  蓋体凸部、１７  押圧部材凸部。
【図１】
2008003212.tif 000003
【図２】
2008003212.tif 000004
【図３】
2008003212.tif 000005
【図４】
2008003212.tif 000006
【図５】
2008003212.tif 000007
【図６】
2008003212.tif 000008
【図７】
2008003212.tif 000009
【図８】
2008003212.tif 000010
【図９】
2008003212.tif 000011
【図１０】
2008003212.tif 000012
【図１１】
2008003212.tif 000013